(57)【要約】【課題】ハウジングの強度を低下させることなくカーソル部材とシートサイズ検知部材とを連動させることができるシート収納装置及びそれを備えた画像形成装置を提供する。【解決手段】シート収納装置は、ハウジングと、カーソル部材と、シートサイズ検知部材と、リンク機構と、を備える。ハウジングは、シート状の記録媒体を収納する。カーソル部材は、ハウジングの底板の内側面に往復移動可能に設けられ、ハウジング内に収納されるシートの端部に当接してシートの位置決めを行う。シートサイズ検知部材は、ハウジングの底板の外側面に揺動可能に設けられ、カーソル部材の移動に連動して揺動することによりハウジング内に収納されたシートサイズを検知する。リンク機構は、シートサイズ検知部材とカーソル部材とに連結され、シートサイズ検知部材とカーソル部材との間にハウジングの底板を介在させた状態でカーソル部材とシートサイズ検知部材とを連動させる。【選択図】図７
2017154833.tif 000002
【特許請求の範囲】
【請求項１】
シート状の記録媒体を収納するハウジングと、
該ハウジングの底板の内側面に往復移動可能に設けられ、前記ハウジング内に収納されるシートの端部に当接してシートの位置決めを行うカーソル部材と、
前記ハウジングの底板の外側面に揺動可能に設けられ、前記カーソル部材の移動に連動して揺動することにより前記ハウジング内に収納されたシートのサイズを検知するシートサイズ検知部材と、
該シートサイズ検知部材と前記カーソル部材とに連結され、前記シートサイズ検知部材と前記カーソル部材との間に前記ハウジングの底板を介在させた状態で前記カーソル部材と前記シートサイズ検知部材とを連動させるリンク機構と、
を備えたシート収納装置。
【請求項２】
前記リンク機構は、
前記ハウジングの底板を貫通する回転軸に回転可能に支持されるピニオンギアと、
前記底板の内側面に沿って前記カーソル部材から前記カーソル部材の移動方向に延在し、前記ピニオンギアに連結される第１ラック部と、
前記ハウジングの底板の外側面に沿って前記第１ラック部と反対方向に延在し、前記第１ラック部と反対側から前記ピニオンギアに連結され、前記ピニオンギアの回転に伴い前記第１ラック部と反対方向に連動して移動する第２ラック部と、
前記第２ラック部または前記シートサイズ検知部材の一方から突出する突軸と、前記第２ラック部または前記シートサイズ検知部材の他方に設けられ前記突軸が連結される係合孔と、
で構成されることを特徴とする請求項１に記載のシート収納装置。
【請求項３】
前記ピニオンギアは、前記第１ラック部に形成された第１ラック歯に噛み合う第１ギア面と、前記第２ラック部に形成された第２ラック歯に噛み合う第２ギア面とを有し、前記第２ラック部は、前記シートサイズ検知部材に形成された長孔状の前記係合孔に移動可能に係合する前記突軸を有することを特徴とする請求項２に記載のシート収納装置。
【請求項４】
前記リンク機構は、前記シートサイズ検知部材と前記カーソル部材とに連結されるワイヤーで構成されることを特徴とする請求項１に記載のシート収納装置。
【請求項５】
前記ワイヤーは、前記カーソル部材から前記ハウジングの底面内側に沿って延在し、前記ハウジングの底面内側と底面外側とを連通する案内孔を通過して折り返され、前記ハウジングの底面外側に沿って延在しており、
前記ワイヤーの前記ハウジングの底面外側に沿って延在する部分には、前記シートサイズ検知部材に形成された長孔状の係合孔に移動可能に係合する係合部材が固定されていることを特徴とする請求項４に記載のシート収納装置。
【請求項６】
前記ハウジングには、前記ワイヤーの延在方向を変更する滑車が設けられることを特徴とする請求項５に記載のシート収納装置。
【請求項７】
前記ワイヤーに張力を付与する付勢部材を有することを特徴とする請求項５又は請求項６に記載のシート収納装置。
【請求項８】
前記ワイヤーは、一端部が前記カーソル部材に連結されるとともに、他端部が前記ハウジングの底板の外側面に形成された係止部に連結されており、
前記付勢部材は、前記ワイヤーの他端部と前記係止部とを連結する引っ張りバネであることを特徴とする請求項７に記載のシート収納装置。
【請求項９】
前記付勢部材は、前記シートサイズ検知部材の揺動中心に配置された捩りコイルバネであり、前記捩りコイルバネは、前記ワイヤーに張力を付与する方向に前記シートサイズ検知部材を付勢することを特徴とする請求項７に記載のシート収納装置。
【請求項１０】
請求項１乃至請求項９のいずれかに記載のシート収納装置を備えた画像形成装置。
【発明の詳細な説明】
【技術分野】
【０００１】
本発明は、ハウジング内に積載されているシートサイズの検知機構を備えたシート収納装置及びそれを備えた画像形成装置に関するものである。
【背景技術】
【０００２】
複写機、プリンター、ファクシミリ等の画像形成装置においては、各種サイズの用紙を適宜に積載することができる給紙カセットが挿脱可能に設けられている。そして、この給紙カセットが収納される画像形成装置には、給紙カセット内に積載された用紙サイズを自動的に検知できるようになっているものがある。
【０００３】
用紙サイズの検知機構の典型例としては、給紙カセットに用紙を積載したときに用紙の端に押し当てられて用紙の位置を規定するカーソル部材の位置を検出するスイッチを有した機構が知られている。しかしながら、この検知機構では、用紙のサイズの数だけスイッチを設けなければならないので、部品の点数が増える上に、多くのスイッチを設けるために大きなスペースを要するという難点があり、画像形成装置をコンパクト化する上での障害になっていた。
【０００４】
そこで、特許文献１には、給紙カセット側に、積載された用紙に押し当てられる移動可能なカーソル部材と、カーソル部材に連動して揺動する、給紙カセット挿入方向の先端部に１個以上の凸部を有した用紙サイズ検知部材とを備え、画像形成装置側に、用紙サイズ検知部材の揺動によって切換えられる多連スイッチを備えた用紙サイズ検知機構が開示されている。
【先行技術文献】
【特許文献】
【０００５】
【特許文献１】特開２０１２−１１６６５８号公報
【発明の概要】
【発明が解決しようとする課題】
【０００６】
給紙カセットに用紙を満載する場合、小サイズの用紙では給紙カセットに加わる用紙重量は大きくないが、最大サイズの用紙を満載した場合は給紙カセットに加わる用紙重量は非常に大きくなる。そのため、給紙カセット本体（ハウジング）にはある程度の強度を持たせる必要があるが、強度の高い材料を使用するとコストアップに繋がる。そのため、給紙カセット本体の材料として安価な樹脂材料を用いることが多い。
【０００７】
特許文献１の構成では、給紙カセットの底面内側に配置されたカーソル部材と、給紙カセットの底面外側に配置された用紙サイズ検知部材とを連動させるために、給紙カセット本体の底面に開口部を形成し、開口部を介してカーソル部材と用紙サイズ検知部材とを連結している。そのため、給紙カセット本体の強度が低下し、給紙カセット本体の変形が発生するおそれがあった。また、用紙の吸湿を防ぐために給紙カセットの下部にヒーターを配置する場合、ヒーターの熱により給紙カセット本体が変形するおそれもあった。
【０００８】
給紙カセット本体の強度を確保するためにリブを設けたり板金製の補強部材を取り付けたりする方法では、リブや板金を配置するスペースの確保が困難であったり、コストアップに繋がる等の問題点があった。また、画像形成装置の本体フレームで給紙カセットの底面を支持する方法もあるが、給紙カセットと本体フレームが干渉して擦れてしまい給紙カセットの挿入及び引き出し操作性を損なう等の問題があった。
【０００９】
本発明は、上記問題点に鑑み、ハウジングの強度を低下させることなくカーソル部材とシートサイズ検知部材とを連動させることができるシート収納装置及びそれを備えた画像形成装置を提供することを目的とする。
【課題を解決するための手段】
【００１０】
上記目的を達成するために本発明の第１の構成は、ハウジングと、カーソル部材と、シートサイズ検知部材と、リンク機構と、を備えたシート収納装置である。ハウジングは、シート状の記録媒体を収納する。カーソル部材は、ハウジングの底板の内側面に往復移動可能に設けられ、ハウジング内に収納されるシートの端部に当接してシートの位置決めを行う。シートサイズ検知部材は、ハウジングの底板の外側面に揺動可能に設けられ、カーソル部材の移動に連動して揺動することによりハウジング内に収納されたシートのサイズを検知する。リンク機構は、シートサイズ検知部材とカーソル部材とに連結され、シートサイズ検知部材とカーソル部材との間にハウジングの底板を介在させた状態でカーソル部材とシートサイズ検知部材とを連動させる。
【発明の効果】
【００１１】
本発明の第１の構成によれば、ハウジングの底板の内側面に配置されたカーソル部材とハウジングの底板の外側面に配置されたシートサイズ検知部材とが、ハウジングの底板を介在させた状態でリンク機構を介して連動する。これにより、ハウジングに長孔状の開口部を形成することなくカーソル部材の移動に応じてシートサイズ検知部材を揺動させることができるため、従来の構成に比べてハウジングの剛性が高くなる。従って、ハウジングの変形を効果的に抑制することができる。また、リンク機構以外は従来のシートサイズ検知機構と同様の構成であるため、設計変更によるコストアップも最小限に抑えることができる。さらに、カーソル部材の操作性も従来と同様であるため、ユーザーが混乱を招くおそれもない。
【図面の簡単な説明】
【００１２】
【図１】本発明のシート収納装置の一実施形態である給紙カセット１０を備えた画像形成装置１００の内部構造を示す概略断面図
【図２】画像形成装置１００を図１の手前方向から見た外観斜視図
【図３】本発明の第１実施形態に係る給紙カセット１０の外観斜視図
【図４】図３における後端カーソル４０付近の拡大図
【図５】第１実施形態の給紙カセット１０を下方（底面外側）から見た部分斜視図
【図６】給紙カセット１０に設けられた用紙サイズ検知部材５０と画像形成装置１００側に設けられた多連スイッチ３７とを示す平面図
【図７】第１実施形態の給紙カセット１０における後端カーソル４０と用紙サイズ検知部材５０とのリンク機構５５を示す図
【図８】ピニオンギア４７と後端カーソル４０及びリンク部材６０との噛み合い状態を示す側面図
【図９】本発明の第２実施形態に係る給紙カセット１０における後端カーソル４０付近の拡大図
【図１０】第２実施形態の給紙カセット１０を下方（底面外側）から見た部分斜視図
【図１１】第２実施形態の給紙カセット１０における後端カーソル４０と用紙サイズ検知部材５０とのリンク機構５５を示す図
【発明を実施するための形態】
【００１３】
以下、図面を参照しながら本発明の実施形態について説明する。図１は、本発明の一実施形態に係る給紙カセット１０を備えた画像形成装置１００の概略断面図である。なお、ここでは画像形成装置１００として、モノクロ複合機について示している。画像形成装置１００本体内には、帯電、露光、現像及び転写の各工程によりモノクロ画像を形成する画像形成部Ｐが配設されている。
【００１４】
画像形成部Ｐには、感光体ドラム１の回転方向（図１の反時計回り方向）に沿って、帯電部２、露光ユニット３、現像装置４、転写ローラー７、クリーニング装置８、及び除電装置（図示せず）が配設されている。画像形成部Ｐでは、感光体ドラム１を図１において反時計回り方向に回転させながら、感光体ドラム１に対する画像形成プロセスが実行される。
【００１５】
コピー動作を行う場合、画像読取部２１において原稿の画像データを読み取り画像信号に変換する。一方、画像形成部Ｐにおいて、帯電部２により図中の反時計回り方向に回転する感光体ドラム１が一様に帯電される。そして、画像読取部２１で読み取られた原稿画像データに基づいて露光ユニット３から感光体ドラム１上にレーザービーム（光線）を照射することで、その画像データに基づく静電潜像を感光体ドラム１表面に形成する。その後、現像装置４が静電潜像にトナーを付着させてトナー像を形成する。
【００１６】
上記のようにトナー像が形成された画像形成部Ｐに向けて、給紙カセット１０から用紙１８が用紙搬送路１１及びレジストローラー対１３を経由して所定のタイミングで搬送され、画像形成部Ｐにおいて転写ローラー７により感光体ドラム１表面のトナー像が用紙に転写される。そして、トナー像が転写された用紙１８は感光体ドラム１から分離され、定着部９に搬送されて加熱及び加圧されることで用紙１８にトナー像が定着される。
【００１７】
定着部９を通過した用紙１８は、複数方向に分岐した分岐部１６によって搬送方向が振り分けられる。用紙１８の片面のみに画像を形成する場合は、そのまま排出ローラー対１４によって排出トレイ１５に排出される。
【００１８】
一方、用紙１８の両面に画像を形成する場合は、定着部９を通過した用紙１８は一旦排出ローラー対１４方向に搬送され、用紙１８の後端が分岐部１６を通過した後に排出ローラー対１４を逆回転させるとともに分岐部１６の搬送方向を切り換えることで、用紙１８の後端から反転搬送路１７に振り分けられ、画像面を反転させた状態でレジストローラー対１３に再搬送される。そして、感光体ドラム１上に形成された次の画像が転写ローラー７により用紙１８の画像が形成されていない面に転写され、定着部９に搬送されてトナー像が定着された後、排出トレイ１５に排出される。
【００１９】
図２は、画像形成装置１００を前面側（図１の手前方向）から見た外観斜視図、図３は、画像形成装置１００に装着される給紙カセット１０の外観斜視図である。なお、図３において、ハウジング１００ａに対する給紙カセット１０の挿入方向を矢印Ａ、引き出し方向を矢印Ａ′で示し、給紙カセット１０の給紙方向を矢印Ｂで示す。
【００２０】
図２に示すように、画像読取部２１の上面には、透明なガラス板（コンタクトガラス）が取り付けられた原稿載置台（図示せず）や、画像形成装置１００本体の前面側に突出した操作パネル２２が配設されている。また、画像読取部２１の上面には、原稿載置台に載置された原稿を押さえるプラテン（原稿押さえ）２３が開閉可能に支持されている。
【００２１】
また、ハウジング１００ａの前面側にはフロントカバー２４が開閉可能に設けられている。このフロントカバー２４を開放することで、ハウジング１００ａ内の各部材のメンテナンスや交換が行われる。
【００２２】
図３に示すように、給紙カセット１０の挿入方向に対し下流側の壁部２５ｃにはカセットカバー３３が装着されている。カセットカバー３３は、その表面側（図５の左側）が外部に露出して画像形成装置１００（図２参照）本体の外装面の一部を構成する。また、カセットカバー３３の中央部には、給紙カセット１０を着脱する際の把持部３５が設けられている。
【００２３】
用紙１８（図１参照）が積載される用紙積載板２８は、左右の揺動軸２８ａを支点として給紙方向下流側（図２の矢印Ｂ方向）がカセットベース２５に対し上下に昇降可能に設けられている。また、用紙積載板２８の幅方向両側には、用紙積載板２８に積載される用紙１８の幅方向の位置決めを行う一対の幅合わせカーソル３７ａ、３７ｂが、カセットベース２５に形成された幅合わせカーソル案内溝（図示せず）に沿ってそれぞれ用紙幅方向（図の矢印ＡＡ′方向）に往復移動可能に設けられている。
【００２４】
給紙カセット１０の挿入または引き出し方向（矢印ＡＡ′方向）に対し平行な壁部２５ａ、２５ｄの外側にはガイドレール３８ａ、３８ｂが付設されている。画像形成装置１００本体側（ハウジング１００ａ側）にはガイドレール３８ａ、３８ｂを摺動可能に支持する支持部（図示せず）が設けられており、ガイドレール３８ａ、３８ｂを支持部に沿って摺動させることで、給紙カセット１０はハウジング１００ａに対し挿入及び引き出し可能となっている。
【００２５】
また、給紙カセット１０には、用紙１８のサイズに応じた位置に配置することで用紙積載板２８に積載された用紙１８の後端を整合する後端カーソル４０が設けられている。用紙搬送路１１（図１参照）に向けて用紙１８が矢印Ｂ方向に送出されるため、用紙１８の後端を揃える後端カーソル４０は、カセットベース２５に形成された後端カーソル案内溝４１（図４参照）に沿って用紙搬送方向（図の矢印Ｂ方向）と平行に往復移動可能に設けられている。幅合わせカーソル３７ａ、３７ｂ、及び後端カーソル４０を、積載される用紙サイズに合わせて移動させることにより、用紙１８を給紙カセット１０内の所定位置に収納する。
【００２６】
図４は、図３における後端カーソル４０付近の拡大図であり、図５は、第１実施形態の給紙カセット１０を下方（底面外側）から見た部分斜視図である。後端カーソル４０は、カセットベース２５の底板から垂直に立設される給紙方向上流側の壁部２５ｄと対向する後端規制部４３と、後端規制部４３の下端部から水平方向に延在し、後端カーソル案内溝４１に沿って配置されるラック部４５とを有する。ラック部４５とリンク部材６０の間にはピニオンギア４７が配置されており、ラック部４５にはピニオンギア４７に噛み合う第１ラック歯４５ａが形成されている。また、リンク部材６０にはピニオンギア４７に噛み合う第２ラック歯６０ａ（図８参照）が形成されている。図５に示すように、カセットベース２５の底面外側（裏面側）には、後端カーソル４０の移動に連動して揺動する用紙サイズ検知部材５０が設けられている。
【００２７】
図６は、第１実施形態の給紙カセット１０に設けられた用紙サイズ検知部材５０と画像形成装置１００側に設けられた検知部材６０、多連スイッチ７０を示す平面図であり、図７は、第１実施形態の給紙カセット１０における後端カーソル４０と用紙サイズ検知部材５０とのリンク機構５５を示す図であり、図８は、ピニオンギア４７と後端カーソル４０及びリンク部材６０との噛み合い状態を示す側面図である。以下、図５〜図８を用いて、第１実施形態の給紙カセット１０における用紙サイズ検知機構について説明する。
【００２８】
用紙サイズ検知機構は、給紙カセット１０側に往復移動可能に設けられた後端カーソル４０と、後端カーソル４０の移動に連動して揺動中心を中心に揺動可能に設けられた用紙サイズ検知部材５０と、後端カーソル４０と用紙サイズ検知部材５０とを連結するリンク部材６０と、給紙カセット１０が挿脱可能に収納される画像形成装置１００本体（図１参照）側に設けられ、円弧状部５１との当接を検知する押圧部材７０と、押圧部材７０の作動により接触子の押圧パターンが切り換わる多連スイッチ８０とを備えている。
【００２９】
図６に示すように、用紙サイズ検知部材５０は、扇形の円弧状部５１と、アーム部５３とを備え、給紙カセット１０の底面外側に配設されている。用紙サイズ検知部材５０は、円弧状部５１の扇の要の部分に揺動中心５２が位置付けられ、揺動軸４８によって給紙カセット１０（カセットベース２５の底面外側）に揺動可能に取付けられている。そして、揺動中心５２を挟んで円弧状部５１の反対側にアーム部５３が延びている。アーム部５３には、揺動中心５２から半径方向に延びた長孔状の係合孔５３ａが形成されている。
【００３０】
円弧状部５１の外周縁部には、半径方向に突出した複数（ここでは４箇所）の凸部５１ａが周方向に複数（ここでは３箇所）の凹部５１ｂを挟んで配設されている。この凸部５１ａ及び凹部５１ｂの周方向の位置は、給紙カセット１０の後端カーソル４０の用紙サイズに応じた移動位置と、給紙カセット１０の挿入により凸部５１ａが当接する押圧部材７０との関係によって設定されている。
【００３１】
図７及び図８に示すように、カセットベース２５の底板にはピニオンギア４７が挿通可能な貫通孔２５ｅが設けられており、貫通孔２５ｅの上方には側面視コ字形状の支持部材４９が配置されている。支持部材４９は下方に突出する回転軸４９ａを有しており、ピニオンギア４７は回転軸４９ａによって回転可能に支持されている。回転軸４９ａはスナップフィット形状であり、ピニオンギア４７は下方から回転軸４９ａに嵌め込み可能となっている。回転軸４９ａの先端には係合爪４９ｂが形成されており、ピニオンギア４７は係合爪４９ｂによって下方に落下しないように支持されている。ピニオンギア４７はカセットベース２５の内側に突出する第１ギア面４７ａと、カセットベース２５の外側に突出する第２ギア面４７ｂとを有する。第１ギア面４７ａは、後端カーソルのラック部４５に形成された第１ラック歯４５ａに噛み合う。第２ギア面４７ｂは、リンク部材６０に形成された第２ラック歯６０ａに噛み合う。また、用紙サイズ検知部材５０の係合孔５３ａにはリンク部材６０に設けられた突軸６０ｂが移動可能に係合されている。
【００３２】
従って、給紙カセット１０に積載される用紙１８のサイズに応じて後端カーソル４０を後端カーソル案内溝４１に沿って移動させると、ピニオンギア４７を介してリンク部材６０が後端カーソル４０のラック部４５と反対方向に移動する。そして、リンク部材６０の突軸６０ｂと用紙サイズ検知部材５０の係合孔５３ａが係合していることにより、用紙サイズ検知部材５０は揺動中心５２を支点として図６の矢印Ｃで示すように揺動する。
【００３３】
用紙サイズ検知部材５０の揺動に応じて、押圧部材７０を介して画像形成装置１００側に配置された多連スイッチ８０（図６参照）の接触子の押圧パターンが変化し、押圧パターンに応じて多連スイッチ８０から異なる電気信号が出力される。この電気信号が画像形成装置１００に備えられた制御部（図示せず）に送信されることにより、電気信号の組合せが判読されて給紙カセット１０内の用紙サイズが検出される。
【００３４】
本実施形態の構成によれば、カセットベース２５の内側に配置された後端カーソル４０とカセットベース２５の外側に配置された用紙サイズ検知部材５０とが、ピニオンギア４７及びリンク部材６０を介して連動する。即ち、ピニオンギア４７及びリンク部材６０は、カセットベース２５を挟んで後端カーソル４０と用紙サイズ検知部材５０とを連動させるリンク機構５５を構成する。
【００３５】
これにより、カセットベース２５に長孔状の開口部を形成することなく後端カーソル４０の移動に応じて用紙サイズ検知部材５０を揺動させることができるため、従来の構成に比べてカセットベース２５の剛性が高くなる。従って、カセットベース２５の変形を効果的に抑制することができる。
【００３６】
また、後端カーソル４０と用紙サイズ検知部材５０のリンク機構５５以外は従来の用紙サイズ検知機構と同様の構成であるため、画像形成装置１００本体側の押圧部材７０や多連スイッチ８０等の変更は不要であり、設計変更によるコストアップも最小限に抑えることができる。さらに、後端カーソル４０の操作性も従来と同様であるため、ユーザーが混乱を招くおそれもない。
【００３７】
なお、ここではリンク部材６０に突軸６０ｂを設け、用紙サイズ検知部材５０に係合孔、検知部材５０に突軸６０ｂが係合する係合孔５３ａを設けたが、用紙サイズ検知部材５０に突軸を設け、リンク部材６０に突軸が係合する係合孔を設ける構成も可能である。
【００３８】
図９は、本発明の第２実施形態に係る給紙カセット１０における後端カーソル４０付近の拡大図であり、図１０は、第２実施形態の給紙カセット１０を下方（底面外側）から見た部分斜視図であり、図１１は、第２実施形態の給紙カセット１０における後端カーソル４０と用紙サイズ検知部材５０とのリンク機構５５を示す図である。
【００３９】
本実施形態では、後端カーソル４０にはラック部４５が形成されておらず、ワイヤー６１の一端部が連結されている。ワイヤー６１は、カセットベース２５の内側と外側とを連通する案内孔６２を通過し、カセットベース２５の端縁に設けられた滑車６３に掛け渡されてカセットベース２５の底面外側に沿って折り返されている。ワイヤー６１の他端部は、引っ張りバネ６４を介してカセットベース２５の底面外側に形成された係止部６５に係止されている。
【００４０】
また、ワイヤー６１には、滑車６３から引っ張りバネ６４までの間に係合部材６７が固定されている。係合部材６７は、用紙サイズ検知部材５０の係合孔５３ａに移動可能に係合する。さらに、用紙サイズ検知部材５０の揺動中心５２には捩りコイルバネ６９が付設されている。捩りコイルバネ６９は、用紙サイズ検知部材５０がワイヤー６１に張力（テンション）を付与する方向（図１０の時計回り方向、図１１の反時計回り方向）に揺動するように付勢している。
【００４１】
図１１の状態から後端カーソル４０を往復移動させると、ワイヤー６１に固定された係合部材６７が後端カーソル４０と反対方向に往復移動する。そして、係合部材６７と用紙サイズ検知部材５０の係合孔５３ａが係合していることにより、用紙サイズ検知部材５０は揺動中心５２を支点として図６の矢印Ｃで示すように揺動する。
【００４２】
本実施形態の構成によれば、カセットベース２５の内側に配置された後端カーソル４０とカセットベース２５の外側に配置された用紙サイズ検知部材５０とが、ワイヤー６１を介して連動する。即ち、ワイヤー６１は、カセットベース２５を挟んで後端カーソル４０と用紙サイズ検知部材５０とを連動させるリンク機構５５を構成する。
【００４３】
これにより、カセットベース２５にはワイヤー６１が通過する案内孔６２を形成するだけで後端カーソル４０と用紙サイズ検知部材５０とを連動させることができる。その結果、第１実施形態と同様に、カセットベース２５に長孔状の開口部を形成する必要がなく、従来の構成に比べてカセットベース２５の剛性が高くなる。従って、カセットベース２５の変形を効果的に抑制することができる。また、設計変更によるコストアップも最小限に抑えることができ、後端カーソル４０の操作性も従来と同様となる。
【００４４】
なお、ここではワイヤー６１に張力を付与する引っ張りバネ６４と、用紙サイズ検知部材５０を付勢する捩りコイルバネ６９の両方を設けたが、いずれか一方のみを設けることで、ワイヤー６１の弛みを防止するようにしてもよい。例えば、捩りコイルバネ６９のみを設ける場合、引っ張りバネ６４、及びワイヤー６１の係合部材６７よりも係止部６５側に延在する部分は不要となる。
【００４５】
その他、本発明は上記各実施形態に限定されず、本発明の趣旨を逸脱しない範囲で種々の変更が可能である。例えば上記各実施形態においては、用紙サイズ検知部材５０の円弧状部５１に４個の凸部５１ａ及び３個の凹部５１ｂを設けているが、凸部５１ａ及び凹部５１ｂの数は検出すべき用紙サイズの数によって適宜設定すればよい。
【００４６】
また、上記各実施形態で用いる多連スイッチ８０は、押圧部材７０が離間することにより接触子が自動的に復帰する自動復帰式であっても良いし、多連スイッチ８０の接触子を押圧部材７０に適宜の手段によって連結させた、より簡単な自動復帰式でないスイッチであってもよい。
【産業上の利用可能性】
【００４７】
本発明は、ハウジング内に積載されたシートサイズを検知するシートサイズ検知機構を備えたシート収納装置に利用可能である。本発明の利用により、コストアップや操作性の低下を伴うことなく、且つ、ハウジングの強度を低下させることなくカーソル部材とシートサイズ検知部材とを連動させることができるシート収納装置及びそれを備えた画像形成装置を提供することができる。
【符号の説明】
【００４８】
１０              給紙カセット（シート収納装置）
２５              カセットベース（ハウジング）
４０              後端カーソル（カーソル部材）
４３              後端規制部
４５              ラック部（第１ラック部）
４５ａ            第１ラック歯
４７              ピニオンギア
４７ａ            第１ギア面
４７ｂ            第２ギア面
４９              支持部材
４９ａ            回転軸
５０              用紙サイズ検知部材（シートサイズ検知部材）
５１              円弧状部
５３              アーム部
５３ａ            案内孔
５５              リンク機構
６０              リンク部材（第２ラック部）
６０ａ            第２ラック歯
６０ｂ            突軸
６１              ワイヤー
６２              貫通孔
６３              滑車
６４              引っ張りバネ（付勢部材）
６５              係止部
６７              係合部材
６９              捩りコイルバネ（付勢部材）
７０              押圧部材
８０              多連スイッチ
１００            画像形成装置
【図１】
2017154833.tif 000003
【図２】
2017154833.tif 000004
【図３】
2017154833.tif 000005
【図４】
2017154833.tif 000006
【図５】
2017154833.tif 000007
【図６】
2017154833.tif 000008
【図７】
2017154833.tif 000009
【図８】
2017154833.tif 000010
【図９】
2017154833.tif 000011
【図１０】
2017154833.tif 000012
【図１１】
2017154833.tif 000013